(57)【要約】      （修正有）【課題】好適な撮影が可能な光学装置及び光学機器を提供する。【解決手段】光学装置は、撮影動作に応じて第１位置と第２位置との間を移動する第１部材（３１）と、前記第１部材（３１）が前記第１位置と前記第２位置との間を移動するときに、前記第１部材（３１）と摺動して前記第１部材（３１）を前記第１位置又は前記第２位置に導く第２部材（４１）とを含み、前記第２部材（４１）は、前記第１部材（３１）と摺動する摺動方向の長さが、前記摺動方向と交差する方向の長さよりも長いことを特徴とする。【選択図】図４
2010286550.tif 000002
【特許請求の範囲】
【請求項１】
撮影動作に応じて第１位置と第２位置との間を移動する第１部材と、
前記第１部材が前記第１位置と前記第２位置との間を移動するときに、前記第１部材と摺動して前記第１部材を前記第１位置又は前記第２位置に導く第２部材とを含み、
前記第２部材は、前記第１部材と摺動する摺動方向の長さが、前記摺動方向と交差する方向の長さよりも長いことを特徴とする光学装置。
【請求項２】
請求項１に記載された光学装置であって、
前記第１部材は、撮影に用いられる光学装置に接続される接続部と、前記第２部材と摺動する摺動部と、前記第２部材と係合する係合部と、前記接続部、前記摺動部、及び、前記係合部が備えられた基体とを有し、
前記第２部材は、前記摺動部と摺動し前記係合部に係合するピンであることを特徴とする光学装置。
【請求項３】
請求項１または２に記載の光学装置であって、
該光学装置が配置される固定部に取り付けられる軸部を備え、
前記第２部材は、前記軸部の先端において前記固定部に対して回転可能に設けられた部材であり、
前記第１部材は前記第２部材の外周と摺動する摺動面を有すること、
を特徴とする光学装置。
【請求項４】
請求項３に記載の光学装置であって、
前記第２部材の前記摺動面は、前記第１部材と当接する際に、前記第１部材が移動してきた方向と交差する第１方向を向き、
前記第１部材と第２部材との摺動時には、前記摺動面が前記第１部材の移動方向と平行となる第２方向を向くこと、
を特徴とする光学装置。
【請求項５】
請求項１から請求項４までのいずれか１項に記載の光学装置であって、
前記第１部材と前記第２部材との当接の際の衝撃力を緩和する緩衝部材を備えること、
を特徴とする光学装置。
【請求項６】
請求項５に記載の光学装置であって、
前記緩衝部材は、前記第２部材が前記第２方向から前記第１方向を向くように付勢するバネであること、
を特徴とする光学装置。
【請求項７】
請求項１から請求項６までのいずれか１項に記載の光学装置であって、
該光学装置は、カメラボディ内に配置される可動ミラーの移動に応じて動く部材であること、
を特徴とする光学装置。
【請求項８】
請求項１から請求項７までの何れか１項に記載された光学装置であって、
前記第１部材は、撮影光学系を通過した光を反射する第１状態と、前記光を反射しない第２状態とを切り換えるために、前記第１位置と前記第２位置との間を移動することを特徴とする光学装置。
【請求項９】
請求項１から請求項８までの何れか１項に記載された光学装置を含むことを特徴とする光学機器。
【発明の詳細な説明】
【技術分野】
【０００１】
本発明は、光学装置及び光学機器に関するものである。
【背景技術】
【０００２】
従来、サブミラーの衝突部分に傾斜部を有する形状とすることで、同一箇所の磨耗を抑制し、サブミラー静止時の角度精度を維持、すなわちフォーカス精度を維持している（例えば、特許文献１参照）。
【先行技術文献】
【特許文献】
【０００３】
【特許文献１】特開２００８−１９７３６７号公報
【発明の概要】
【発明が解決しようとする課題】
【０００４】
本発明の課題は、好適な撮影が可能な光学装置及び光学機器を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮影動作に応じて第１位置と第２位置との間を移動する第１部材（３１）と、前記第１部材（３１）が前記第１位置と前記第２位置との間を移動するときに、前記第１部材（３１）と摺動して前記第１部材（３１）を前記第１位置又は前記第２位置に導く第２部材（４１Ａ）とを含み、前記第２部材（４１Ａ）は、前記第１部材（３１）と摺動する摺動方向の長さ（Ｒ２）が、前記摺動方向と交差する方向の長さ（Ｒ１）よりも長いことを特徴とする光学装置（２０）である。
請求項２に記載の発明は、請求項１に記載された光学装置（２０）であって、前記第１部材（３１）は、撮影に用いられる光学部品（２１）に接続される接続部（３２）と、前記第２部材（４１Ａ）と摺動する摺動部（３１Ｐ）と、前記第２部材（４１Ａ）と係合する係合部（３１Ｃ）と、前記接続部（３２）、前記摺動部（３１Ｐ）、及び、前記係合部（３１Ｃ）が備えられた基体（３１Ｃ）とを有し、前記第２部材（４１Ａ）は、前記摺動部（３１Ｐ）と摺動し前記係合部（３１Ｃ）に係合するピンであることを特徴とする光学装置（２０）である。
請求項３に記載の発明は、請求項１または２に記載の光学装置（２０）であって、該光学装置（２０）が配置される固定部（１１Ａ）に取り付けられる軸部（４１Ｂ）を備え、前記第２部材（４１Ａ）は、前記軸部（４１Ｂ）の先端において前記固定部（１１Ａ）に対して回転可能に設けられた部材であり、前記第１部材（３１）は前記第２部材（４１Ａ）の外周と摺動する摺動面（４１Ｄ）を有すること、を特徴とする光学装置（２０）である。
請求項４に記載の発明は、請求項３に記載の光学装置（２０）であって、前記第２部材（４１Ａ）の前記摺動面（４１Ｄ）は、前記第１部材（３１）と当接する際に、前記第１部材（３１）が移動してきた方向と交差する第１方向を向き、前記第１部材（３１）と第２部材（４１Ａ）との摺動時には、前記摺動面（４１Ｄ）が前記第１部材（３１）の移動方向と平行となる第２方向を向くこと、を特徴とする光学装置（２０）である。
請求項５に記載の発明は、請求項１から請求項４までのいずれか１項に記載の光学装置（２０）であって、前記第１部材（３１）と前記第２部材（４１Ａ）との当接の際の衝撃力を緩和する緩衝部材（４２）を備えること、を特徴とする光学装置（２０）である。
請求項６に記載の発明は、請求項５に記載の光学装置（２０）であって、前記緩衝部材は、前記第２部材（４１Ａ）が前記第２方向から前記第１方向を向くように付勢するバネ（４２）であること、を特徴とする光学装置（２０）である。
請求項７に記載の発明は、請求項１から請求項６までのいずれか１項に記載の光学装置（２０）であって、該光学装置（２０）は、カメラボディ（１１）内に配置される可動ミラーの移動に応じて動く部材であること、を特徴とする光学装置（２０）である。
請求項８に記載の発明は、請求項１から請求項７までの何れか１項に記載された光学装置（２０）であって、前記第１部材（３１）は、撮影光学系（１２）を通過した光を反射する第１状態と、前記光を反射しない第２状態とを切り換えるために、前記第１位置と前記第２位置との間を移動することを特徴とする光学装置（２０）である。
請求項９に記載の発明は、請求項１から請求項８までの何れか１項に記載された光学装置（２０）を含むことを特徴とする光学機器（１０）である。
なお、符号を付して説明した構成は、適宜改良してもよく、また、少なくとも一部を他の構成物に代替してもよい。
【発明の効果】
【０００７】
本発明によれば、好適な撮影が可能な光学装置及び光学機器を提供することができる。
【図面の簡単な説明】
【０００８】
【図１】本発明の一実施形態を適用したカメラの断面図である。
【図２】ミラー部におけるメインミラーとサブミラーの揺動状態を説明する図であって、（ａ）はミラーダウン状態、（ｂ）はミラーアップ状態を示す。
【図３】ミラー部の全体構成を示す斜視図である。
【図４】サブミラー保持枠における位置決め部をサブミラー保持枠の内側から見た拡大斜視図である。
【図５】サブミラー受け部を示し、（ａ）はサブミラー保持枠の外側から見た斜視図、（ｂ）は、サブミラー保持枠の内側から見た斜視図である。
【図６】サブミラー受け部の構成部材の斜視図を示し、（ａ）は付勢バネ、（ｂ）バネ受けカラー、（ｃ）はピン組立体である。
【図７】サブミラー保持枠における位置決め部のミラーダウン作動時における作用説明図である。
【図８】サブミラー保持枠における位置決め部のミラーアップ作動時における作用説明図である。
【発明を実施するための形態】
【０００９】
以下、図面等を参照して、本発明の実施形態について説明する。図１は本発明の一実施形態を適用したカメラ１０の断面図である。なお、図１において、説明と理解を容易にするために、直交座標系を設けた。この座標系では、撮影者が光軸ＯＡを水平として横長の画像を撮影する場合のカメラの位置（以下、通常の撮影位置という）において撮影者から見て左側に向かう方向をＸ軸プラス方向とする。また、通常の撮影位置において上側に向かう方向をＹ軸プラス方向、通常の撮影位置において被写体に向かう方向をＺ軸プラス方向とする。さらに、Ｚ軸プラス方向を前面側、Ｚ軸マイナス方向を背面側とも言う。
【００１０】
本実施形態のカメラ１０は、画像情報を電子情報として記録するいわゆるデジタル一眼レフカメラである。カメラ１０は、カメラボディ１１と、カメラボディ１１に着脱可能に装着された撮影レンズ１２とにより構成されている。
カメラボディ１１は、ボディフレーム１１Ａ、画像表示部１１Ｂ、マウント部１１Ｃ、ミラー部２０、ファインダ部１１Ｄ、測距センサ部１１Ｅ、シャッタ部１１Ｆおよび撮像部１１Ｊを有している。また、カメラボディ１１は、図示しないが、レリーズボタン等を有する操作部と、撮影レンズ１２を含めて当該カメラ１０を統括的に制御する制御部とを備えている。
【００１１】
ボディフレーム１１Ａは、カメラボディ１１のメインフレームである。
画像表示部１１Ｂは、カメラボディ１１の背面部に設けられ、撮像部１１Ｊで撮影した被写体像や、操作に関連した情報、撮影した被写体像等を表示する液晶ディスプレイである。
【００１２】
マウント部１１Ｃは、撮影レンズ１２が着脱自在に装着される部分である。
撮影レンズ１２は、複数のレンズ群１２Ｌを備え、入射した被写体光を集光してミラー部２０に向けて導く。撮影レンズ１２は、交換可能であり、撮影目的に応じて被写体像を拡大又は縮小するズーム式のレンズ群や、単焦点式のレンズ群を用いることができる。本実施形態では、撮影レンズ１２は、カメラボディ１１の制御部からの制御信号に応じてモータ等の駆動手段によって移動駆動されるフォーカシングレンズ群を備えている。
【００１３】
ミラー部２０は、マウント部１１Ｃに装着された撮影レンズ１２からの被写体光が入射する位置に配設されたメインミラー２１と、メインミラーの背面に配設されたサブミラー２２とを備えている。
【００１４】
メインミラー２１は、背面側の端部で揺動支持軸２３によってボディフレーム１１Ａに揺動可能に支持されている。そして、図示しないミラー駆動機構によって揺動操作され、図１に示すように光路内に４５°の角度で位置するミラーダウン状態（観察状態）と、光路の上側に略水平に位置する図１中に二点鎖線で示すミラーアップ状態（撮影状態）との間で揺動する。メインミラー２１は、図１に示すミラーダウン状態では、撮影レンズ１２からの像光を反射させてその光路を９０°上側に屈曲させ、ファインダ部１１Ｄに導く。また、ミラーアップ状態では、撮影レンズ１２から撮像部１１Ｊに至る光路内から退避し、被写体光をシャッタ部１１Ｆおよび撮像部１１Ｊ側へ入射させる。
【００１５】
サブミラー２２は、メインミラー２１より小さな反射鏡であって、メインミラー２１の背面に揺動可能に配設されている。メインミラー２１がミラーダウン状態では、メインミラー２１に対して所定角度に配置され、その半透過ミラー部を透過した被写体光を反射させて、測距センサ部１１Ｅに入射させる。
サブミラー２２は、図１には示さないミラー連動機構によってメインミラー２１におけるミラーダウン状態からミラーアップ状態への揺動に伴って揺動し、メインミラー２１に背面に沿った退避姿勢となる。
サブミラー２２の姿勢（角度）が変化すると、測距センサ部１１Ｅに入射する被写体光の位置が変化する。被写体光の位置が変化すると、合焦精度に影響を与えるため、サブミラー２２の作用姿勢は常に高い精度で位置決めされる必要がある。
なお、ミラー連動機構を含むミラー部２０の構成等については、後に詳述する。
【００１６】
ファインダ部１１Ｄは、ファインダスクリーン１１Ｄａと、ペンタダハプリズム１１Ｄｂと、接眼部１１Ｄｃとを有している。ファインダスクリーン１１Ｄａは、ミラー部２０の上側に配置されており、ミラー部２０が観察状態であるときにメインミラー２１によって反射された被写体光が結像するスクリーンである。ペンタダハプリズム１１Ｄｂは、ファインダスクリーン１１Ｄａの上側に配置されており、ファインダスクリーン１１Ｄａに結像した左右反転した被写体像を正像化して接眼部１１Ｄｃへと導くプリズムである。接眼部１１Ｄｃは、ペンタダハプリズム１１Ｄｂを介してファインダスクリーン１１Ｄａを観察可能に配設された接眼光学系である。
【００１７】
測距センサ部１１Ｅは、撮影レンズ１２による被写体の合焦状態を検知する部位であって、ミラー部２０（サブミラー２２）で反射して入射する被写体光を受光する複数のセンサを備えている。
シャッタ部１１Ｆは、図示しないが複数のシャッタ羽根群を備えている。図示しない延在部におけるレリーズスイッチによる撮影指示に応じてシャッタ羽根群を開閉させ、被写体光を定められた時間、撮像部１１Ｊに入射（露光）させる。
【００１８】
撮像部１１Ｊは、シャッタ部１１Ｆを通過した被写体光が入射する位置に設けられている。撮像部１１Ｊはローパスフィルタ１１Ｊａとその後方に配置された撮像素子１１Ｊｂと、不図示の画像処理回路等を備えている。
撮像素子１１Ｊｂは、光学像をアナログ光電変換する例えばＣＣＤやＣＭＯＳ等の光電素子であって、撮影レンズ１２からローパスフィルタ１１Ｊａを介して入射した被写体の光学像を電気的な画像信号に変換して、図示しない画像処理部へ出力する。
【００１９】
撮像部１１Ｊは、レリーズスイッチ（不図示）の操作により、撮像素子１１Ｊｂがアナログ光電変換した画像信号を、画像処理回路でデジタル画像信号に変換（Ａ／Ｄ変換）および種々の画像処理を施した後、画像ファイルとしてバッファメモリに記憶する。
【００２０】
制御部は、ＣＰＵ等によって構成されている。制御部は、図示しない延在部から入力される操作信号に応じて、当該カメラ１０の各部へ指令を出力し、カメラ１０の動作を統括的に制御する。また、制御部は、図示しないが、撮影画像を一旦格納するバッファメモリ等を備えている。
【００２１】
上記のように構成されたカメラ１０において、撮影レンズ１２によって集光された被写体光は、ミラー部２０のメインミラー２１を介してファインダ部１１Ｄのファインダスクリーン１１Ｄａに結像する。このファインダスクリーン１１Ｄａにおける結像を、ペンタプリズムおよび接眼部１１Ｄｃを介して撮影者が観察できる。
【００２２】
撮影時には、図示しないレリーズスイッチが操作されると、制御部の制御下で、測距センサ部１１Ｅから入力される撮影レンズ１２による被写体の結像状態情報に基づいて、撮影レンズ１２のフォーカシングレンズ群を移動制御し、結像状態を調整する。その後、ミラー部２０におけるメインミラー２１が揺動して光路の上側に退避し（ミラーアップ状態）、被写体像光は撮像部１１Ｊの撮像素子１１Ｊｂへ到達可能となる。そして、シャッタ部１１Ｆが所定時間（露光時間）開き、撮像素子１１Ｊｂが被写体光に露光される。撮像部１１Ｊは、撮像素子１１Ｊｂによって被写体を電気信号に変換し、その電気的な画像情報を画像処理回路が画像処理して、画像表示部１１Ｂに画像として表示し、また、撮像画像情報をメモリに記憶（すなわち撮影）する。
【００２３】
つぎに、ミラー部２０について詳細に説明する。
図２は、ミラー部２０におけるメインミラー２１とサブミラー２２の揺動状態を説明する図であって、（ａ）はミラーダウン状態、（ｂ）はミラーアップ状態を示す。図３は、ミラー部２０の全体構成を示す斜視図である。
【００２４】
ミラー部２０は、メインミラー２１と、サブミラー２２と、メインミラー２１の揺動に連動してサブミラー２２を揺動操作するミラー連動機構３０とを備えている。
メインミラー２１は、メインミラー保持枠２４に支持されており、図２（ａ）に示す光路内に４５°の角度で位置するミラーダウン状態（観察状態）と、図２（ｂ）に示す光路の上側に略水平に位置するミラーアップ状態（撮影状態）との間で揺動する。
サブミラー２２は、サブミラー保持枠２５に保持され、メインミラー２１の背面側に位置している。サブミラー２２は、ミラーダウン状態ではメインミラー２１の透過部を透過した被写体光を測距センサ部１１Ｅに向けて反射させる所定角度の姿勢（作用姿勢）となり、ミラーアップ状態ではメインミラー２１に沿った姿勢（退避姿勢）となる。
【００２５】
メインミラー保持枠２４は、メインミラー２１を収容可能な矩形の平面形状であって、その背面側の端縁部で揺動支持軸２３によって揺動可能にボディフレーム１１Ａ（図１参照）に支持されている。この揺動支持軸２３を中心とするメインミラー保持枠２４の揺動によって、メインミラー２１が揺動する。
ミラーダウン状態におけるメインミラー２１の姿勢（角度）は、メインミラー保持枠２４の先端部が、ミラーストッパ２８に当接することで規定される。
【００２６】
サブミラー保持枠２５は、サブミラー２２を収容可能な大きさであって、一方の側縁にミラー連動機構３０を構成する連動板３１が設けられている。サブミラー保持枠２５は、連動板３１を介して、メインミラー保持枠２４に連結されている。
【００２７】
ミラー連動機構３０は、サブミラー保持枠２５の一方側縁に設けられた連動板３１と、連結ピン３２と、転向ピン３３と、サブミラー受け部４０等により構成されている。
連動板３１は、サブミラー保持枠２５の一方（Ｘプラス側）の側縁に設けられている。連動板３１は、図２（ａ）および図３に示す作用姿勢における上側の端にカム孔３１Ａ、下側の端に位置決め部３１Ｂ、及びそれらを接続するアーム部３１Ｃを備えている。
連動板３１は、カム孔３１Ａの近傍で連結ピン３２によってメインミラー保持枠２４に回動可能に装着されている。
【００２８】
カム孔３１Ａは、内周縁面が所定形状のカムを形成しており、その内部にボディフレーム１１Ａに固定された転向ピン３３が位置している。そして、メインミラー保持枠２４の揺動に伴って、連結ピン３２によって連結されたサブミラー保持枠２５が揺動すると、カム孔３１Ａの内周縁面（カム）が転向ピン３３に当接し、転向ピン３３によって連動板３１（すなわちサブミラー保持枠２５）が揺動操作される。
【００２９】
カム孔３１Ａと転向ピン３３とは、図２（ａ）に示すミラーダウン状態ではサブミラー２２が所定角度の作用姿勢となり、図２（ｂ）に示すミラーアップ状態ではサブミラー２２がメインミラー２１に沿った退避姿勢となるように設定されている。
【００３０】
位置決め部３１Ｂは、サブミラー受け部４０によって位置規制され、これによってサブミラー２２の作用姿勢を規定する部位である。
図４は、サブミラー保持枠２５における位置決め部３１Ｂの拡大斜視図である。図４に示すように、位置決め部３１Ｂは、連動板３１の端部側に開放する位置決めスリット３１Ｓを備えている。位置決めスリット３１Ｓは、所定幅で所定の長さ（奥行き）に形成されている。位置決めスリット３１Ｓを形成する一方（Ｚ軸プラス側：図４中右側）のフォーク部３１Ｆの先端は、円弧状の係合部３１Ｃとなっている。また、フォーク部３１Ｆの内縁には、摺動部３１Ｐが所定長さ（奥行き）に設定されている。摺動部３１Ｐより開放側におけるフォーク部３１Ｆの内縁は、位置決めスリット３１Ｓの幅が広がる側に勾配が付けられている。すなわち、位置決めスリット３１Ｓの幅は、摺動部３１Ｐでは一定で、摺動部３１Ｐより開放側の係合部３１Ｃでは所定角度で広がっている。
【００３１】
位置決めスリット３１Ｓは、サブミラー２２が作用姿勢において、サブミラー受け部４０の後述するピン組立体４１に嵌り、これによって連動板３１（サブミラー保持枠２５すなわちサブミラー２２）の位置が規定されるようになっている。
【００３２】
図５は、サブミラー受け部４０を示し、（ａ）はサブミラー保持枠２５の外側から見た斜視図、（ｂ）は、サブミラー保持枠２５の内側から見た斜視図である。図６は、サブミラー受け部４０の構成部材の斜視図を示し、（ａ）は付勢バネ４２、（ｂ）バネ受けカラー４３、（ｃ）はピン組立体４１である。
【００３３】
サブミラー受け部４０は、ピン組立体４１と、付勢バネ４２と、バネ受けカラー４３とにより構成されている。
ピン組立体４１は、図６（ｃ）に示すように、ピン本体４１Ａと、支持軸４１Ｂと、ボディフレーム１１Ａに固定される装着板４１Ｃと、により構成されている。
【００３４】
ピン本体４１Ａは、所定間隔離れた円弧を接線で結んだような形状をしている。そして、ピン本体４１Ａの平面形状における短径（大きい側の円弧の直径、図４にＲ１で示す）は、長径（図４にＲ２で示す、連動板３１との摺動方向）はピン本体４１Ａの、図６（ｃ）中、手前側の平坦な面は、当接面４１Ｄとなっている。ピン本体４１Ａの短径Ｒ１は、連動板３１における位置決め部３１Ｂの位置決めスリット３１Ｓに、所定の嵌合公差で嵌合し得るように設定されている。
【００３５】
ピン本体４１Ａの短径Ｒ１側の円弧中心には、支持軸４１Ｂが取り付けられており、ピン本体４１Ａはこの支持軸４１Ｂを介して装着板４１Ｃに回転自在に支持されている。なお、ピン本体４１Ａが装着板４１Ｃに対して回転する構成は、ピン本体４１Ａが支持軸４１Ｂに対して回転しても、支持軸４１Ｂが装着板４１Ｃに対して回転しても何れでも良い。
【００３６】
装着板４１Ｃは、ボディフレーム１１Ａ（図１参照）に固定される。また、装着板４１Ｃは、支持軸４１Ｂから所定間隔離間した位置に、支持軸４１Ｂと同じ側に所定高さに突出するバネ係合突起４１Ｅを備えている。
【００３７】
バネ受けカラー４３は、図６（ｂ）に示すように、ピン組立体４１における支持軸４１Ｂに嵌合する内径の円筒状で、その端部にはピン本体４１Ａとの間で回転運動を伝達しあうための切り欠き部４３Ａが形成されている。また、周方向に一カ所、所定長さのバネ係合アーム４３Ｂが径方向に突出形成されている。バネ係合アーム４３Ｂには、所定高さのバネ係合突起４３Ｃが当該バネ受けカラー４３の基端側に向けて突設されている。
【００３８】
付勢バネ４２は、図６（ａ）に示すように、所定線径の鋼線が所定径の円形に巻かれたたコイル部４２Ａと、コイル部４２Ａを形成する鋼線の両端がそれぞれ所定長さの直線状に延びる延在部４２Ｂ，４２Ｃと、を備えている。延在部４２Ｂ，４２Ｃは、所定角度のＶ字状を成している。このように形成された付勢バネ４２は、延在部４２Ｂ，４２Ｃを狭角が広がる側に押圧操作すると、コイル部４２Ａが弾性変形し、弾性復帰力を生ずる。
【００３９】
そして、図５に示すように、サブミラー受け部４０は、ピン組立体４１における支持軸４１Ｂに、付勢バネ４２とバネ受けカラー４３とが、それぞれ回転自在に外挿されて、構成されている。
ピン組立体４１におけるピン本体４１Ａは、バネ受けカラー４３における切り欠き部４３Ａ内に位置している。
【００４０】
付勢バネ４２の延在部４２Ｂ，４２Ｃは、ピン組立体４１におけるバネ係合突起４１Ｅと、バネ受けカラー４３におけるバネ係合突起４３Ｃとを挟むように配置されている。当接面４１Ｄが押圧されてピン本体４１Ａが図５（ａ）の矢印Ｃの方向に回転すると、バネ係合突起４３Ｃも同じ方向に回転し、これにより延在部４２Ｂは、４２Ｃとの間の狭角が開くように移動して付勢バネ４２は弾性変形する。そして当接面４１Ｄの押圧が解除されると、弾性変形していた付勢バネ４２の復元力により、ピン本体４１Ａは矢印Ａと逆方向に付勢されて元の位置に戻る。
【００４１】
まず、ミラーダウン動作時について説明する。図７は、サブミラー保持枠２５における位置決め部３１Ｂのミラーダウン作動時における作用説明図である。
ミラーダウン動作時には、連動板３１の先端に位置する位置決め部３１Ｂは、まず、図７（ａ）中に矢印Ｂ１で示すように図中Ｚマイナス方向に略平行移動し、その後図７（ｂ）中に矢印Ｂ２で示すように、図中斜めにＹマイナス且つＺマイナス方向に移動する。この移動は、揺動支持軸２３を中心とするメインミラー保持枠２４の揺動と、メインミラー保持枠２４に固定された連結ピン３２を中心とするサブミラー保持枠２５の揺動とが合成された軌道に沿った移動である。
【００４２】
はじめに、図７（ａ）に示すように、位置決め部３１Ｂにおけるフォーク部３１Ｆの先端の係合部３１Ｃが、ピン本体４１Ａの当接面４１Ｄに当接する、その後、位置決め部３１Ｂの移動に伴って、ピン本体４１Ａは、転動しつつ円弧状の係合部３１Ｃと当接面４１Ｄとが摺動して当接位置を変化させつつ、ピン本体４１Ａを付勢バネ４２の付勢力に抗して図中時計回りに回動する。
【００４３】
そして、位置決め部３１Ｂが図７（ｂ）における矢印Ｂ２の方向に移動時には、ピン本体４１Ａも図７（ｂ）における矢印Ｂ２の方向を向き、ピン本体４１Ａが位置決めスリット３１Ｓに嵌り、位置決めスリット３１Ｓの摺動部３１Ｐがピン本体４１Ａの当接面４１Ｄに当接して位置決めされた状態となる。
【００４４】
このように、本構成では、ピン本体４１Ａの当接面４１Ｄにおける、フォーク部３１Ｆにおける先端の円弧状の係合部３１Ｃがはじめに当接する位置と、最終的に摺動部３１Ｐが当接して位置決めする位置とが異なる。
これにより、ミラーダウン動作時において、当接面４１Ｄの、フォーク部３１Ｆの係合部３１Ｃが衝突する部位に摩耗または局所変形等が生じても、位置決め精度を保つことができる。
また、位置決め状態においては、摺動部３１Ｐと当接面４１Ｄとが点でなく面で当接するため、摩耗は生じにくく、万一生じても位置決め精度への影響は少ない。
【００４５】
図８は、サブミラー保持枠２５における位置決め部３１Ｂのミラーアップ作動時における作用説明図である。ミラーアップ動作時においては、まず、連動板３１における位置決め部３１Ｂの位置決めスリット３１Ｓが、サブミラー受け部４０におけるピン組立体４１のピン本体４１Ａから離脱する。
【００４６】
ミラーアップ動作時における、位置決めスリット３１Ｓのピン本体４１Ａからの離脱は、つぎのように行われる。
すなわち、ミラーアップ動作時に位置決め部３１Ｂは、図８（ａ）に示す状態から、まず、図８（ａ）中に矢印Ａ１で示すように、図中斜めにＹプラス且つＺプラス方向に移動する。その後、図８（ｂ）に示すように図中矢印Ａ２で示すように図中Ｚプラス方向に略平行移動する。これに伴い、位置決めスリット３１Ｓがピン本体４１Ａから離脱する。この際、ピン本体４１Ａは、付勢バネ４２の付勢力によって、フォーク部３１Ｆを押し出すように作用する。その後、図８（ｃ）に示すようにフォーク部３１Ｆがピン本体４１Ａの当接面４１Ｄから完全に離間する。
【００４７】
以上、本実施形態によると、以下の効果を有する。
（１）本実施形態で、ピン本体４１Ａ（当接面４１Ｄ）に対して、ミラーダウン動作時において、はじめに位置決め部３１Ｂが当接する位置と、ミラーダウン状態において位置決め部３１Ｂが当接して位置決めされる位置とが異なる。このため、ミラーダウン動作時において、当接面４１Ｄの、フォーク部３１Ｆの係合部３１Ｃがはじめに当接する部位に摩耗や局所変形等が生じても、位置決め位置の摩耗や局所変形を抑制することができる。これにより、位置決め精度を保つことができる。
その結果、カメラ１０において、長期間多数の撮影を行ってもサブミラー２２の位置精度を維持でき、合焦精度の劣化を抑制することができる。
（２）位置決め状態においては、摺動部３１Ｐと当接面４１Ｄとが点でなく面で当接するため、摩耗は生じにくく、万一生じても位置決め精度への影響は少ない。これにより、位置決め精度を保つことができる。
（３）ピン組立体４１におけるピン本体４１Ａは、ミラーダウン動作時における位置決め部３１Ｂの移動方向と対向する側に付勢バネ４２によって付勢されているため、位置決め部３１Ｂがピン本体４１Ａ（当接面４１Ｄ）に当接する際の衝撃を緩衝することができる。これにより、摩耗や局所変形を抑制できると共に、静音化できる。
（４）ミラーダウン動作開始時において、付勢バネ４２によるピン本体４１Ａの揺動付勢力が、サブミラー２２の作動を補助するように作用する。これにより、サブミラー２２の円滑迅速な作動が可能となる。
【００４８】
（変形形態）
以上、説明した実施形態に限定されることなく、以下に示すような種々の変形や変更が可能であり、それらも本発明の範囲内である。
（１）本実施形態では、ピン組立体４１におけるピン本体４１Ａは、所定感覚は慣れた代償の円弧を接線で結んだような形状をしている。しかし、ピン本体４１Ａの形状は、これに限るものではなく、当接面４１Ｄを備えれば他のどのような形状であっても良い。
（２）本実施形態では光学機器としてデジタル一眼レフカメラについて説明したが、これに限定されず、ビデオカメラ、レンズ鏡筒、カメラボディ、携帯電話を含む。
なお、実施形態及び変形形態は、適宜組み合わせて用いることもできるが、詳細な説明は省略する。また、本発明は以上説明した実施形態によって限定されることはない。
【符号の説明】
【００４９】
１０：カメラ、１１：カメラボディ、１１Ａ：ボディフレーム、２１：メインミラー、２２：サブミラー、２４：メインミラー保持枠、３１：連動板、４１Ａ：ピン本体、４１Ｂ：支持軸、４１Ｄ：当接面、４２：付勢バネ
【図１】
2010286550.tif 000003
【図２】
2010286550.tif 000004
【図３】
2010286550.tif 000005
【図４】
2010286550.tif 000006
【図５】
2010286550.tif 000007
【図６】
2010286550.tif 000008
【図７】
2010286550.tif 000009
【図８】
2010286550.tif 000010